(57)【要約】      （修正有）【課題】防雪柵に対して鋭角な方向から斜めに吹き付ける場合にも道路に直交する方向に風向きを変えることができる、斜風誘導板付き吹き払い式防雪柵を提供する。【解決手段】防雪柵１０の風上側に当たる背面に防雪柵１０の並ぶ方向に対して一定方向に一定幅の斜風誘導板３０を所定間隔ごとに鉛直に取り付ける。斜風誘導板３０がその平面視で防雪柵１０の並ぶ方向に対してほぼ垂直方向の基部枠３２と、その風上側先端ほど急角度に複数箇所で屈曲している、または円弧状に屈曲している。【選択図】図４
0003160240.tif 000002
【実用新案登録請求の範囲】
【請求項１】
防雪柵10，20の風上側２に当たる背面に防雪柵10，20の並ぶ方向に対して一定方向に一定幅の斜風誘導板30，60を所定間隔ごとに鉛直に取り付けた吹き払い式防雪柵10，20において、斜風誘導板30，60がその平面視で防雪柵10，20の並ぶ方向に対してほぼ垂直方向の基部枠32，62と、その風上側２先端ほど急角度に複数箇所で屈曲している、または円弧状に屈曲している斜風誘導板付き吹き払い式防雪柵。
【請求項２】
斜風誘導板30，60の風上側２先端部34，64を折り畳み可能とした請求項１記載の斜風誘導板付き吹き払い式防雪柵。
【請求項３】
防雪柵10，20の風上側２に当たる背面に一定幅の斜風誘導板40，70を所定間隔ごとに鉛直に取り付けた吹き払い式防雪柵10，20において、斜風誘導板40，70がその平面視で防雪柵10，20の並ぶ方向に対してほぼ垂直方向の垂直部41，71と、垂直部41，71の風上側２先端部に防雪柵10，20の並ぶ方向に対して角度可変にかつ固定可能な角度可変部43，73を設けた斜風誘導板付き吹き払い式防雪柵。
【請求項４】
斜風誘導板40，70の角度可変部43，73を折り畳み可能とした請求項３記載の斜風誘導板付き吹き払い式防雪柵。
【請求項５】
防雪柵10，20の風上側２に当たる背面に一定幅の斜風誘導板50，80を所定間隔ごとに鉛直に取り付けた吹き払い式防雪柵10，20において、斜風誘導板50，80をその平面視で防雪柵10，20の並ぶ方向に対してほぼ垂直方向に設け、斜風誘導板50，80の風上側２先端部53，83を折り畳み可能とした斜風誘導板付き吹き払い式防雪柵。
【請求項６】
防雪柵20の風上側２に当たる背面に一定幅の斜風誘導板90を所定間隔ごとに鉛直に取り付けた吹き払い式防雪柵20において、斜風誘導板90をその平面視で防雪柵20の並ぶ方向に対して少なくともその防雪板24側がほぼ垂直方向に設け、斜風誘導板90は、防雪柵20の柱22に取り付けた柱斜風誘導板92と、柱22の間に渡した横梁91に取り付けた横梁斜風誘導板93とで構成し、柱斜風誘導板92と横梁斜風誘導板93の幅は基礎21の一辺の長さと近似した狭い幅とした斜風誘導板付き吹き払い式防雪柵。
【考案の詳細な説明】
【技術分野】
【０００１】
本考案は、冬期間における道路や線路等への積雪量を軽減し、かつ視程障害を緩和するため、道路脇や線路脇に設置する防雪柵に関する。
【背景技術】
【０００２】
従来の防雪柵では、防雪柵に対して垂直に風雪が吹き付ける場合に最大の効果を発揮するように設計されている。しかし、防雪柵は季節風が吹き付ける道路の風上側に設置されるが、道路が季節風の風向きと直交する方向に施工されているとは限らない。そのため、風雪が防雪柵に対して斜めに吹き付ける場合には効果が低くなっていた。
【０００３】
そこで、防雪柵に整風板などを設けて、道路に直交する方向に風向きを変えるようにした物が知られている。
【０００４】
例えば、実用新案登録第３０９７７９６号公報に示されるように、防雪柵の風上側に当たる背面に防雪柵の並ぶ方向に対して直角を含む一定角方向に防雪柵の高さとほぼ同じ高さで、一定幅の整風板が間隔を置いて鉛直に取り付けられている物が知られている。この考案によれば、風雪が防雪柵に対して斜めに吹き付けても整風板が防雪柵に対して平行な成分を阻止するので，防雪柵の効果を維持できるとされている。
【０００５】
また、実用新案登録第３１０３６５３号公報に示されるように、複数の翼型の風路偏向板と、支柱とを備え、風路偏向板に対して斜め横方向から吹いてきた風の流れを道路に向けて整流する整流板を、風路偏向板の上面又は下面の少なくとも一方に有する物が知られている。この考案によれば、斜め横方向から吹いてくる風雪（風や吹雪）も道路に向けて効果的に偏向できるとされている。
【先行技術文献】
【特許文献】
【０００６】
【特許文献１】実用新案登録第３０９７７９６号公報
【特許文献１】実用新案登録第３１０３６５３号公報
【考案の概要】
【考案が解決しようとする課題】
【０００７】
上記の、実用新案登録第３１０３６５３号公報に示されるものでは、防雪板の壁を形成し風を通さないで雪をその影に溜めておく吹き止め式の物が図示されている。吹き止め式では、防雪柵の前に堆積する雪が柵を越えないように柵高さが決められ、風雪が防雪柵に対して斜めに吹き付けて堆積しても問題は少ない。
【０００８】
また、同考案では、水平方向に対してある角度を付けた防雪板を多段重ねて設置することにより、風を道路面に吹き付けて雪を吹き払う吹き払い式の防雪柵にも、全く同じように防雪柵に対して垂直に整風板を一定間隔で取り付けて防雪柵の性能を向上させることができる、とされている。
【０００９】
しかし、吹き払い式で、風雪が防雪柵に対して比較的垂直な方向の斜めに吹き付ける場合には円滑に防雪板を通過できるが、防雪柵の並ぶ方向から４５度以下の鋭角な方向から斜めに吹き付ける場合には、整風板に吹き付けてその前に雪が堆積して機能を失うことがあった。
【００１０】
上記の、実用新案登録第３１０３６５３号公報に示されるものは、吹き払い式のものではあるが、整流板を防雪板（風路偏向板）に取り付けたもので、防雪板の強度から整流板を大きなものとすることはできず、防雪柵に対して鋭角な方向から斜めに吹き付ける場合には、道路に向けて効果的に偏向できない。
【００１１】
また、上記の実用新案登録第３１０３６５３号公報には、整風板の角度が一定角方向に変えられるようになっていることが示されているが、道路が屈曲している場合や、山際で道路に沿って風向きが一定でない場合には、防雪柵に対して吹き付ける角度が設置する場所により異なることになり、整風板の角度が一定角方向では対応できない。
【００１２】
また、上記の実用新案登録第３１０３６５３号公報に示されるような整風板は、防雪柵の風上側に当たる背面に一定幅の整風板が取り付けられ突出しているが、防雪柵の背面側は農地となっていることが多く、夏季の農作業に際して作業の妨げとなることがある。
【００１３】
そこで本考案は、防雪柵に対して鋭角な方向から斜めに吹き付ける場合にも道路に直交する方向に風向きを変えることができ、道路に沿って風向きが一定でない場合にも道路に直交する方向に風向きを変えることができ、夏季には防雪柵の風上側に突出しない斜風誘導板付き吹き払い式防雪柵を提供することを目的とする。
【課題を解決するための手段】
【００１４】
請求項１の考案の斜風誘導板付き吹き払い式防雪柵は、防雪柵10，20の風上側２に当たる背面に防雪柵10，20の並ぶ方向に対して一定方向に一定幅の斜風誘導板30，60を所定間隔ごとに鉛直に取り付けた吹き払い式防雪柵10，20において、斜風誘導板30，60がその平面視で防雪柵10，20の並ぶ方向に対してほぼ垂直方向の基部枠32，62と、その風上側２先端ほど急角度に複数箇所で屈曲している、または円弧状に屈曲しているものである。
【００１５】
請求項２の考案の斜風誘導板付き吹き払い式防雪柵は、斜風誘導板30，60の風上側２先端部34，64を折り畳み可能としたものである。
【００１６】
請求項３の考案の斜風誘導板付き吹き払い式防雪柵は、防雪柵10，20の風上側２に当たる背面に一定幅の斜風誘導板40，70を所定間隔ごとに鉛直に取り付けた吹き払い式防雪柵10，20において、斜風誘導板40，70がその平面視で防雪柵10，20の並ぶ方向に対してほぼ垂直方向の垂直部41，71と、垂直部41，71の風上側２先端部に防雪柵10，20の並ぶ方向に対して角度可変にかつ固定可能な角度可変部43，73を設けたものである。
【００１７】
請求項４の考案の斜風誘導板付き吹き払い式防雪柵は、斜風誘導板40，70の角度可変部43，73を折り畳み可能としたものである。
【００１８】
請求項５の考案の斜風誘導板付き吹き払い式防雪柵は、防雪柵10，20の風上側２に当たる背面に一定幅の斜風誘導板50，80を所定間隔ごとに鉛直に取り付けた吹き払い式防雪柵10，20において、斜風誘導板50，80をその平面視で防雪柵10，20の並ぶ方向に対してほぼ垂直方向に設け、斜風誘導板50，80の風上側２先端部53，83を折り畳み可能としたものである。
【００１９】
請求項６の考案の斜風誘導板付き吹き払い式防雪柵は、防雪柵20の風上側２に当たる背面に一定幅の斜風誘導板90を所定間隔ごとに鉛直に取り付けた吹き払い式防雪柵20において、斜風誘導板90をその平面視で防雪柵20の並ぶ方向に対して少なくともその防雪板24側がほぼ垂直方向に設け、斜風誘導板90は、防雪柵20の柱22に取り付けた柱斜風誘導板92と、柱22の間に渡した横梁91に取り付けた横梁斜風誘導板93とで構成し、柱斜風誘導板92と横梁斜風誘導板93の幅は基礎21の一辺の長さと近似した狭い幅としたものである。
【考案の効果】
【００２０】
請求項１の考案によれば、斜風誘導板30，60がその平面視で防雪柵10，20の並ぶ方向に対してほぼ垂直方向の基部枠32，62と、その風上側２先端ほど急角度に複数箇所で屈曲している、または円弧状に屈曲していることにより、防雪柵10，20に対して鋭角な方向から斜めに吹き付ける風雪も徐々に向きを変え、斜風誘導板30，60の前に雪が堆積することなく、道路に直交する方向に風向きを変えることができる。
【００２１】
請求項２の考案によれば、斜風誘導板30，60の風上側２先端部34，64を折り畳み可能としていることにより、防雪柵10，20を必要とする冬季以外は防雪柵10，20の風上側に先端部34，64が突出しないから、農作業などの作業の妨げとなることがない。
【００２２】
請求項３の考案によれば、斜風誘導板40，70がその平面視で防雪柵10，20の並ぶ方向に対してほぼ垂直方向の垂直部41，71と、垂直部41，71の風上側２先端部に防雪柵10，20の並ぶ方向に対して角度可変にかつ固定可能な角度可変部43，73を設けたことにより、道路が屈曲している場合や、山際で道路に沿って風向きが一定でない場合でも角度可変部43，73の角度を風向きに合わせて変えることができるから、道路に沿って風向きが一定でない場合にも道路に直交する方向に風向きを変えることができる。
【００２３】
請求項４の考案によれば、斜風誘導板40，70の角度可変部43，73を折り畳み可能としていることにより、防雪柵10，20を必要とする冬季以外は防雪柵10，20の風上側に角度可変部43，73が突出しないから、農作業などの作業の妨げとなることがない。
【００２４】
請求項５の考案によれば、斜風誘導板50，80の風上側２先端部53，83を折り畳み可能としていることにより、防雪柵10，20を必要とする冬季以外は防雪柵10，20の風上側に先端部53，83が突出しないから、農作業などの作業の妨げとなることがない。
【００２５】
請求項６の考案によれば、柱斜風誘導板92と横梁斜風誘導板93の幅は基礎21の一辺の長さと近似した狭い幅としていることにより、柱斜風誘導板92と横梁斜風誘導板93は防雪柵20の風上側に突出しないから、農作業などの作業の妨げとなることがない。
【００２６】
また、柱斜風誘導板92に加えて横梁斜風誘導板93を設けることにより、斜風誘導板90の数が増すことになり、狭い幅の柱斜風誘導板92と横梁斜風誘導板93でも道路に直交する方向に風向きを変えることができる。
【図面の簡単な説明】
【００２７】
【図１】図１は斜風誘導板付き吹き払い式防雪柵の実施例１を示す平面図である。
【図２】図２は図１の一部を切り欠いた正面図である
【図３】図３は図１の一部を切り欠いた側面図である。
【図４】図４は図１の要部を示す部分拡大図である。
【図５】図５は図４の風上側先端部を折り畳んだ状態を示す図である。
【図６】図６は斜風誘導板付き吹き払い式防雪柵の実施例２を示す平面図である。
【図７】図７は図６の一部を切り欠いた側面図である。
【図８】図８は図６の要部を示す部分拡大図である。
【図９】図９は図８の要部を示す部分拡大図である。
【図１０】図１０は図９の角度可変部を折り畳んだ状態を示す図である。
【図１１】図１１は斜風誘導板付き吹き払い式防雪柵の実施例３を示す平面図である。
【図１２】図１２は図１１の一部を切り欠いた側面図である。
【図１３】図１３は図１１の要部を示す部分拡大図である。
【図１４】図１４は図１３の要部を示す部分拡大図である。
【図１５】図１５は図１４の風上側先端部を折り畳んだ状態を示す図である。
【図１６】図１６は斜風誘導板付き吹き払い式防雪柵の実施例４を示す平面図である。
【図１７】図１７は図１６の一部を切り欠いた正面図である
【図１８】図１８は図１６の一部を切り欠いた側面図である。
【図１９】図１９は図１６の要部を示す部分拡大図である。
【図２０】図２０は図１８の風上側先端部を折り畳んだ状態を示す図である。
【図２１】図２１は図１９の風上側先端部を折り畳んだ状態を示す図である。
【図２２】図２２は斜風誘導板付き吹き払い式防雪柵の実施例５を示す平面図である。
【図２３】図２３は図２２の一部を切り欠いた側面図である。
【図２４】図２４は図２２の要部を示す部分拡大図である。
【図２５】図２５は図２４の要部を示す部分拡大図である。
【図２６】図２６は図２４の要部の角度可変部を折り畳んだ状態を示す図である。
【図２７】図２７は斜風誘導板付き吹き払い式防雪柵の実施例６を示す平面図である。
【図２８】図２８は図２７の一部を切り欠いた側面図である。
【図２９】図２９は図２７の要部を示す部分拡大図である。
【図３０】図３０は図２９の要部を示す部分拡大図である。
【図３１】図３１は図２９の要部の風上側先端部を折り畳んだ状態を示す図である。
【図３２】図３２は斜風誘導板付き吹き払い式防雪柵の実施例７を示す平面図である。
【考案を実施するための形態】
【００２８】
防雪柵に対して鋭角な方向から斜めに吹き付ける場合にも道路に直交する方向に風向きを変えることができる斜風誘導板付き吹き払い式防雪柵を提供するという目的を、防雪柵10，20の風上側２に当たる背面に防雪柵10，20の並ぶ方向に対して一定方向に一定幅の斜風誘導板30，60を所定間隔ごとに鉛直に取り付けた吹き払い式防雪柵10，20において、斜風誘導板30，60がその平面視で防雪柵10，20の並ぶ方向に対してほぼ垂直方向の基部枠32，62と、その風上側２先端ほど急角度に複数箇所で屈曲している、または円弧状に屈曲していることにより実現した。
【００２９】
道路に沿って風向きが一定でない場合にも道路に直交する方向に風向きを変えることができる斜風誘導板付き吹き払い式防雪柵を提供するという目的を、防雪柵10，20の風上側２に当たる背面に一定幅の斜風誘導板40，70を所定間隔ごとに鉛直に取り付けた吹き払い式防雪柵10，20において、斜風誘導板40，70がその平面視で防雪柵10，20の並ぶ方向に対してほぼ垂直方向の垂直部41，71と、垂直部41，71の風上側２先端部に防雪柵10，20の並ぶ方向に対して角度可変にかつ固定可能な角度可変部43，73を設けることにより実現した。
【００３０】
夏季には防雪柵の風上側に突出しない斜風誘導板付き吹き払い式防雪柵を提供するという目的を、斜風誘導板30，60の風上側２先端部34，64を折り畳み可能とすることにより、または、斜風誘導板40，70の角度可変部43，73を折り畳み可能とすることにより、または、防雪柵10，20の風上側２に当たる背面に一定幅の斜風誘導板50，80を所定間隔ごとに鉛直に取り付けた吹き払い式防雪柵10，20において、斜風誘導板50，80をその平面視で防雪柵10，20の並ぶ方向に対してほぼ垂直方向に設け、斜風誘導板50，80の風上側２先端部53，83を折り畳み可能とすることにより、または、防雪柵20の風上側２に当たる背面に一定幅の斜風誘導板90を所定間隔ごとに鉛直に取り付けた吹き払い式防雪柵20において、斜風誘導板90をその平面視で防雪柵20の並ぶ方向に対してほぼ垂直方向に設け、斜風誘導板90は、防雪柵20の柱22に取り付けた柱斜風誘導板92と、柱22の間に渡した横梁91に取り付けた横梁斜風誘導板93とで構成し、柱斜風誘導板92と横梁斜風誘導板93の幅は基礎の一辺の長さと近似した狭い幅としたことにより実現した。
【実施例１】
【００３１】
図１は、本考案の実施例１に係る斜風誘導板付き吹き払い式防雪柵10である。
【００３２】
この斜風誘導板付き吹き払い式防雪柵10は、道路沿いの風上側２地面Ｅ下に等間隔に埋設されるコンクリート製の基礎11と、基礎11上に立設される柱12と、柱12の間に多段に重ねて設置された防雪板13からなるものである。
【００３３】
この防雪柵10の防雪板13は、冬季間は所定の下向き角度に固定され、風を道路面に吹き付けて雪を吹き払い、それ以外の期間は水平に固定して視認性を向上させるものである。
【００３４】
防雪柵10の風上側２に当たる、つまり道路側とは反対側の背面に、防雪柵10の並ぶ方向に対して一定方向に、一定幅の斜風誘導板30を所定間隔ごとに柱12の背面に鉛直に取り付ける。
【００３５】
斜風誘導板30の高さは、柱12の高さとほぼ同じとして、防雪柵10の並ぶ方向から４５度以下の鋭角な方向から吹き付ける風雪をも、道路に直交する方向に風向きを変えようとするものである。実施例１では、斜風誘導板30の高さを約3.4ｍ、幅を約1.6ｍとした。
【００３６】
斜風誘導板30は、柱12から風上側２に突出し、季節風の斜めに吹き付ける風雪流１の方向に屈曲している。実施例１では、平面視である図１の右側に屈曲している例を示している。
【００３７】
斜風誘導板30には、柱12に固定される固定部31と、折り畳み可能とした風上側２先端部34を設け、固定部31には柱12側から枠としての基部枠32と中間部枠33を設け、先端部34には先端部枠35を設ける。
【００３８】
基部枠32は平面視で防雪柵10の並ぶ方向、つまり防雪板13の方向に対して垂直方向に柱12から風上側２に突出し、中間部枠33は基部枠32に対して１５度屈曲し、先端部枠35は基部枠32に対して３０度屈曲していて、その風上側２先端ほど急角度に複数箇所で屈曲させている。
【００３９】
斜風誘導板30は、基部枠32，中間部枠33と先端部枠35により全体として円弧状に複数箇所で屈曲しているが、全体を徐々に屈曲させた円弧状としても良い。
【００４０】
これら基部枠32，中間部枠33と先端部枠35の風雪流１側全面に、無孔または多数の小孔を有する誘導板37を設け、誘導板37が風雪流１を誘導する。実施例では誘導板37の材質は鋼板であるが、透明樹脂板や樹脂ネットでも良い。
【００４１】
これにより冬季間は、防雪柵10に対して鋭角な方向から斜めに吹き付ける風雪流１も徐々に向きを変え、斜風誘導板30の前に雪が堆積することなく、道路に直交する方向に風向きを変えることができる。
【００４２】
中間部枠33と先端部枠35の間に蝶番状の折畳部36を設け、斜風誘導板30の風上側２先端部34を折り畳み可能とする。
【００４３】
これにより、防雪柵10を必要とする冬季以外は防雪柵10の風上側に先端部34が突出しないから、農作業などの作業の妨げとなることがない。
【実施例２】
【００４４】
図６は、本考案の実施例２に係る斜風誘導板付き吹き払い式防雪柵10である。
【００４５】
ここで、実施例１と同じものは同一番号で示し、説明を省略する。
【００４６】
防雪柵10の風上側２に当たる、つまり道路側とは反対側の背面に、防雪柵10の並ぶ方向に対して一定方向に、ほぼ一定幅の斜風誘導板40を所定間隔ごとに柱12の背面に鉛直に取り付ける。
【００４７】
斜風誘導板40の高さは、柱12の高さとほぼ同じとして、防雪柵10の並ぶ方向から４５度以上の鈍角な方向、および４５度以下の鋭角な方向から吹き付ける風雪をも、道路に直交する方向に風向きを変えようとするものである。実施例２では、斜風誘導板40の高さを約3.4ｍ、幅を角度可変部43が垂直部41と鉛直な状態で約1.8ｍとした。
【００４８】
斜風誘導板40は、柱12から風上側２に突出し、その平面視で防雪柵10の並ぶ方向に対してほぼ垂直方向の垂直部41と、垂直部41の風上側２先端部に防雪柵10の並ぶ方向に対して角度可変にかつ固定可能な角度可変部43を設ける。実施例２では、平面視である図６で角度可変部43が垂直部41と鉛直な状態を実線で、角度可変部43の角度可変範囲を破線で示している。
【００４９】
斜風誘導板40には、柱12に固定される垂直部41と、折り畳み可能とした角度可変部43を設け、垂直部41には柱12側から枠としての垂直部枠42を設け、角度可変部43には角度可変部枠44を設ける。
【００５０】
垂直部枠42は平面視で防雪柵10の並ぶ方向、つまり防雪板13の方向に対して垂直方向に柱12から風上側２に突出し、角度可変部枠44は垂直部枠42に対して回動部45を介して左右に各４５度回動可能に固定する。
【００５１】
回動部45には、垂直部枠42側に半円状の板である固定板45aと、固定板45aに円弧状に複数設けた固定孔45bと、角度可変部枠44側に回動腕45cと、固定板45aと角度可変部枠44を回動可能に連結する支軸45dを設け、回動腕45cの先端部の孔と固定孔45bにピンまたはボルト等を通して固定する。
【００５２】
これら垂直部枠42と角度可変部枠44の風雪流１側全面に、無孔または多数の小孔を有する誘導板47を設け、誘導板47が風雪流１を誘導する。実施例では誘導板47の材質は鋼板であるが、透明樹脂板や樹脂ネットでも良い。
【００５３】
これにより冬季間は、道路が屈曲している場合や、山際で道路に沿って風向きが一定でない場合でも角度可変部43の角度を風向きに合わせて変えることができるから、道路に沿って風向きが一定でない場合にも道路に直交する方向に風向きを変えることができる。
【００５４】
垂直部枠42と固定板45aの間に蝶番状の折畳部46を設け、斜風誘導板40の角度可変部43を折り畳み可能とする。
【００５５】
折畳部46には、垂直部枠42と固定板45aを回動可能に連結する支軸46aを設け、垂直部枠42に固定孔46bを固定板45aに固定孔46cを設け、固定孔46bと固定孔46cにピンまたはボルト等を通して固定する。
【００５６】
これにより、防雪柵10を必要とする冬季以外は防雪柵10の風上側に角度可変部43が突出しないから、農作業などの作業の妨げとなることがない。
【実施例３】
【００５７】
図１１は、本考案の実施例３に係る斜風誘導板付き吹き払い式防雪柵10である。
【００５８】
ここで、実施例１と同じものは同一番号で示し、説明を省略する。
【００５９】
防雪柵10の風上側２に当たる、つまり道路側とは反対側の背面に、防雪柵10の並ぶ方向に対して一定方向に、一定幅の斜風誘導板50を所定間隔ごとに柱12の背面に鉛直に取り付ける。
【００６０】
斜風誘導板50の高さは、柱12の高さとほぼ同じとして、防雪柵10の並ぶ方向から４５度以上の鈍角な方向から吹き付ける風雪を、道路に直交する方向に風向きを変えようとするものである。実施例３では、斜風誘導板40の高さを約3.4ｍ、幅を約1.7ｍとした。
【００６１】
斜風誘導板50は、柱12から風上側２に突出し、その平面視で防雪柵10の並ぶ方向に対してほぼ垂直方向の垂直部51と、垂直部51の風上側２先端部53を折り畳み可能とする。
【００６２】
斜風誘導板50には、柱12に固定される垂直部51には柱12側から枠としての垂直部枠52を設け、先端部53には先端部枠54を設ける。
【００６３】
これら垂直部枠52と先端部枠54の風雪流１側全面に、無孔または多数の小孔を有する誘導板56を設け、誘導板56が風雪流１を誘導する。実施例では誘導板56の材質は鋼板であるが、透明樹脂板や樹脂ネットでも良い。
【００６４】
これにより冬季間は、防雪柵10に対して鈍角な方向から斜めに吹き付ける風雪流１も向きを変え、斜風誘導板50の前に雪が堆積することなく、道路に直交する方向に風向きを変えることができる。
【００６５】
垂直部枠52と先端部枠54の間に蝶番状の折畳部55を設け、斜風誘導板50の先端部53を折り畳み可能とする。
【００６６】
折畳部55には、垂直部枠52と先端部枠54を回動可能に連結する支軸55aを設け、垂直部枠52に固定孔55bを先端部枠54に固定孔55cを設け、固定孔55bと固定孔55cにピンまたはボルト等を通して固定する。
【００６７】
これにより、防雪柵10を必要とする冬季以外は防雪柵10の風上側に先端部53が突出しないから、農作業などの作業の妨げとなることがない。
【実施例４】
【００６８】
図１６は、本考案の実施例４に係る斜風誘導板付き吹き払い式防雪柵20である。
【００６９】
この斜風誘導板付き吹き払い式防雪柵20は、道路沿いの風上側２地面Ｅ下に等間隔に埋設されるコンクリート製の基礎21と、基礎21上に立設される柱22と、柱22の上端部から道路側に倒立Ｌの字状に迫り出した腕杆23（アーム）と、腕杆23の間に多段に重ねて設置された防雪板24からなるオーバーハング式のものである。
【００７０】
この防雪柵20の防雪板24は、冬季間は所定の下向き角度に固定され、風を道路面に吹き付けて雪を吹き払い、それ以外の期間は腕杆23を後退させ防雪板24を水平に固定して視認性を向上させるものである。
【００７１】
防雪柵20の風上側２に当たる、つまり道路側とは反対側の背面に、防雪柵20の並ぶ方向に対して一定方向に、一定幅の斜風誘導板60を所定間隔ごとに柱22の側面に鉛直に取り付ける。
【００７２】
斜風誘導板60の高さは、柱22の高さとほぼ同じとして、防雪柵10の並ぶ方向から４５度以下の鋭角な方向から吹き付ける風雪をも、道路に直交する方向に風向きを変えようとするものである。実施例４では、斜風誘導板60の高さを約4.1ｍ、幅を約2.0ｍとした。
【００７３】
斜風誘導板60は、柱22の側面から風上側２に大きく突出し、季節風の斜めに吹き付ける風雪流１の方向に屈曲している。実施例１では、平面視である図１６の右側に屈曲している例を示している。また斜風誘導板60は、柱22の側面から防雪板24側に小さく突出している。
【００７４】
斜風誘導板60には、柱22に固定される固定部61と、折り畳み可能とした風上側２先端部64と、折り畳み可能とした防雪板24側の後端部枠67を設け、固定部61には柱22側面から枠としての基部枠62と中間部枠63を設け、先端部64には先端部枠65を設ける。
【００７５】
基部枠62は平面視で防雪柵20の並ぶ方向、つまり防雪板24の方向に対して垂直方向に柱22側面から風上側２に突出し、中間部枠63は基部枠62に対して１５度屈曲し、先端部枠65は基部枠62に対して３０度屈曲していて、その風上側２先端ほど急角度に複数箇所で屈曲させている。
【００７６】
斜風誘導板60は、基部枠62，中間部枠63と先端部枠65により全体として円弧状に複数箇所で屈曲しているが、全体を徐々に屈曲させた円弧状としても良い。
【００７７】
これら基部枠62，中間部枠63，先端部枠65と後端部枠67の風雪流１側全面に、無孔または多数の小孔を有する誘導板69を設け、誘導板69が風雪流１を誘導する。実施例では誘導板69の材質は鋼板であるが、透明樹脂板や樹脂ネットでも良い。
【００７８】
これにより冬季間は、防雪柵20に対して鋭角な方向から斜めに吹き付ける風雪流１も徐々に向きを変え、斜風誘導板60の前に雪が堆積することなく、道路に直交する方向に風向きを変えることができる。
【００７９】
中間部枠63と先端部枠65の間に蝶番状の折畳部66を設け、斜風誘導板60の風上側２先端部64を折り畳み可能とする。
【００８０】
これにより、防雪柵20を必要とする冬季以外は防雪柵20の風上側に先端部64が突出しないから、農作業などの作業の妨げとなることがない。
【００８１】
基部枠62と後端部枠67の間に蝶番状の折畳部68を設け、斜風誘導板60の防雪板24側を折り畳み可能とし、腕杆23を後退させたとき防雪板24と干渉しないようにする。
【実施例５】
【００８２】
図２２は、本考案の実施例５に係る斜風誘導板付き吹き払い式防雪柵20である。
【００８３】
ここで、実施例４と同じものは同一番号で示し、説明を省略する。
【００８４】
防雪柵20の風上側２に当たる、つまり道路側とは反対側の背面に、防雪柵20の並ぶ方向に対して一定方向に、ほぼ一定幅の斜風誘導板70を所定間隔ごとに柱22の側面に鉛直に取り付ける。
【００８５】
斜風誘導板70の高さは、柱22の高さとほぼ同じとして、防雪柵20の並ぶ方向から４５度以上の鈍角な方向、および４５度以下の鋭角な方向から吹き付ける風雪をも、道路に直交する方向に風向きを変えようとするものである。実施例５では、斜風誘導板70の高さを約4.1ｍ、幅を角度可変部73が垂直部71と鉛直な状態で約2.2ｍとした。
【００８６】
斜風誘導板70は、柱22の側面から風上側２に大きく突出し、その平面視で防雪柵20の並ぶ方向に対してほぼ垂直方向の垂直部71と、垂直部71の風上側２先端部に防雪柵20の並ぶ方向に対して角度可変にかつ固定可能な角度可変部73を設ける。実施例５では、平面視である図２２で角度可変部73が垂直部71と鉛直な状態を実線で、角度可変部73の角度可変範囲を破線で示している。また斜風誘導板70は、柱22の側面から防雪板24側に小さく突出している。
【００８７】
斜風誘導板70には、柱22に固定される垂直部71と、折り畳み可能とした角度可変部73と、折り畳み可能とした防雪板24側の後端部枠77を設け、垂直部71には柱22側面から枠としての垂直部枠72を設け、角度可変部73には角度可変部枠74を設ける。
【００８８】
垂直部枠72は平面視で防雪柵20の並ぶ方向、つまり防雪板24の方向に対して垂直方向に柱22側面から風上側２に突出し、角度可変部枠74は垂直部枠72に対して回動部75を介して右に４５度回動可能に固定する。
【００８９】
回動部75には、垂直部枠72側に半円状の板である固定板75aと、固定板75aに円弧状に複数設けた固定孔75bと、角度可変部枠74側に回動腕75cと、固定板75aと角度可変部枠74を回動可能に連結する支軸75dを設け、回動腕75cの先端部の孔と固定孔75bにピンまたはボルト等を通して固定する。
【００９０】
これら垂直部枠72，角度可変部枠と74後端部枠77の風雪流１側全面に、無孔または多数の小孔を有する誘導板79を設け、誘導板79が風雪流１を誘導する。実施例では誘導板79の材質は鋼板であるが、透明樹脂板や樹脂ネットでも良い。
【００９１】
これにより冬季間は、道路が屈曲している場合や、山際で道路に沿って風向きが一定でない場合でも角度可変部73の角度を風向きに合わせて変えることができるから、道路に沿って風向きが一定でない場合にも道路に直交する方向に風向きを変えることができる。
【００９２】
垂直部枠72と固定板75aの間に蝶番状の折畳部76を設け、斜風誘導板70の角度可変部73を折り畳み可能とする。
【００９３】
折畳部76には、垂直部枠72と固定板75aを回動可能に連結する支軸76aを設け、垂直部枠72に固定孔76bを固定板75aに固定孔76cを設け、固定孔76bと固定孔76cにピンまたはボルト等を通して固定する。
【００９４】
これにより、防雪柵20を必要とする冬季以外は防雪柵20の風上側に角度可変部73が突出しないから、農作業などの作業の妨げとなることがない。
【００９５】
垂直部枠72と後端部枠77の間に蝶番状の折畳部78を設け、斜風誘導板70の防雪板24側を折り畳み可能とし、腕杆23を後退させたとき防雪板24と干渉しないようにする。
【実施例６】
【００９６】
図２７は、本考案の実施例６に係る斜風誘導板付き吹き払い式防雪柵20である。
【００９７】
ここで、実施例４と同じものは同一番号で示し、説明を省略する。
【００９８】
防雪柵20の風上側２に当たる、つまり道路側とは反対側の背面に、防雪柵20の並ぶ方向に対して一定方向に、一定幅の斜風誘導板80を所定間隔ごとに柱22の側面に鉛直に取り付ける。
【００９９】
斜風誘導板80の高さは、柱22の高さとほぼ同じとして、防雪柵20の並ぶ方向から４５度以上の鈍角な方向から吹き付ける風雪を、道路に直交する方向に風向きを変えようとするものである。実施例６では、斜風誘導板80の高さを約4.1ｍ、幅を約2.1ｍとした。
【０１００】
斜風誘導板80は、柱22の側面から風上側２に大きく突出し、その平面視で防雪柵20の並ぶ方向に対してほぼ垂直方向の垂直部81と、垂直部81の風上側２先端部83を折り畳み可能とする。また斜風誘導板80は、柱22の側面から防雪板24側に小さく突出している。
【０１０１】
斜風誘導板80には、柱22に固定される垂直部81には柱22側面から枠としての垂直部枠82を設け、先端部83には先端部枠84と、折り畳み可能とした防雪板24側の後端部枠87を設ける。
【０１０２】
これら垂直部枠82，先端部枠84と後端部枠87の風雪流１側全面に、無孔または多数の小孔を有する誘導板89を設け、誘導板89が風雪流１を誘導する。実施例では誘導板89の材質は鋼板であるが、透明樹脂板や樹脂ネットでも良い。
【０１０３】
これにより冬季間は、防雪柵20に対して鈍角な方向から斜めに吹き付ける風雪流１も向きを変え、斜風誘導板80の前に雪が堆積することなく、道路に直交する方向に風向きを変えることができる。
【０１０４】
垂直部枠82と先端部枠84の間に蝶番状の折畳部85を設け、斜風誘導板80の先端部83を折り畳み可能とする。
【０１０５】
折畳部85には、垂直部枠82と先端部枠84を回動可能に連結する支軸85aを設け、垂直部枠82に固定孔85bを先端部枠84に固定孔85cを設け、固定孔85bと固定孔85cにピンまたはボルト等を通して固定する。
【０１０６】
これにより、防雪柵20を必要とする冬季以外は防雪柵20の風上側に先端部83が突出しないから、農作業などの作業の妨げとなることがない。
【０１０７】
垂直部枠82と後端部枠87の間に蝶番状の折畳部88を設け、斜風誘導板80の防雪板24側を折り畳み可能とし、腕杆23を後退させたとき防雪板24と干渉しないようにする。
【実施例７】
【０１０８】
図３２は、本考案の実施例７に係る斜風誘導板付き吹き払い式防雪柵20である。
【０１０９】
ここで、実施例４と同じものは同一番号で示し、説明を省略する。
【０１１０】
防雪柵20の風上側２に当たる、つまり道路側とは反対側の背面に、防雪柵20の並ぶ方向に対して一定方向に、一定幅の斜風誘導板90を所定間隔ごとに鉛直に設ける。
【０１１１】
斜風誘導板90は、その平面視で防雪柵20の並ぶ方向に対して、少なくともその防雪板24側がほぼ垂直方向に設ける。つまり、防雪板24と斜風誘導板90の風下側がほぼ直交する。
【０１１２】
斜風誘導板90は、防雪柵20の柱22に取り付けた柱斜風誘導板92と、柱22の上下の間に渡した横梁91の間に複数取り付けた横梁斜風誘導板93とで構成し、柱斜風誘導板92と横梁斜風誘導板93の高さは、柱22の高さとほぼ同じとして、防雪柵20の並ぶ方向から４５度以上の鈍角な方向から吹き付ける風雪を、道路に直交する方向に風向きを変えようとするものである。実施例７では、斜風誘導板90の高さを約3.9ｍ、幅を約1.1ｍとした。
【０１１３】
柱斜風誘導板92と横梁斜風誘導板93の幅は基礎の一辺の長さと近似した狭い幅とする。実施例７では、基礎の一辺の長さは約1.2ｍとした。柱斜風誘導板92と横梁斜風誘導板93の幅は、少なくとも0.5から1.5ｍの間とするのが望ましい。
【０１１４】
これにより、柱斜風誘導板92と横梁斜風誘導板93は防雪柵20の風上側に突出しないから、農作業などの作業の妨げとなることがない。
【０１１５】
また、柱斜風誘導板92に加えて横梁斜風誘導板93を設けることにより、斜風誘導板90の数が増すことになり、狭い幅の柱斜風誘導板92と横梁斜風誘導板93でも道路に直交する方向に風向きを変えることができる。
【０１１６】
実施例７では、斜風誘導板90はその平面視で直線状のものを示したが、実施例４のように風上側２を湾曲させても、実施例５のように風上側２を角度可変にさせても、防雪柵20の並ぶ方向に対して少なくともその防雪板24側がほぼ垂直方向に設けられれば良い。
【０１１７】
以上の実施例では、吹き払い式防雪柵10，20の防雪板13，24が冬季以外は水平に固定される例を示したが、防雪板を昇降して収納するものでも、防雪板を取り外すものでも良い。
【符号の説明】
【０１１８】
２  風上側
10  防雪柵
20  防雪柵
21  基礎
22  柱
24  防雪板
30  斜風誘導板
32  基部枠
34  先端部
40  斜風誘導板
41  垂直部
43  角度可変部
50  斜風誘導板
53  先端部
60  斜風誘導板
62  基部枠
64  先端部
70  斜風誘導板
71  垂直部
73  角度可変部
80  斜風誘導板
83  先端部
90斜風誘導板
91  横梁
92  柱斜風誘導板
93  横梁斜風誘導板
【図１】
0003160240.tif 000003
【図２】
0003160240.tif 000004
【図３】
0003160240.tif 000005
【図４】
0003160240.tif 000006
【図５】
0003160240.tif 000007
【図６】
0003160240.tif 000008
【図７】
0003160240.tif 000009
【図８】
0003160240.tif 000010
【図９】
0003160240.tif 000011
【図１０】
0003160240.tif 000012
【図１１】
0003160240.tif 000013
【図１２】
0003160240.tif 000014
【図１３】
0003160240.tif 000015
【図１４】
0003160240.tif 000016
【図１５】
0003160240.tif 000017
【図１６】
0003160240.tif 000018
【図１７】
0003160240.tif 000019
【図１８】
0003160240.tif 000020
【図１９】
0003160240.tif 000021
【図２０】
0003160240.tif 000022
【図２１】
0003160240.tif 000023
【図２２】
0003160240.tif 000024
【図２３】
0003160240.tif 000025
【図２４】
0003160240.tif 000026
【図２５】
0003160240.tif 000027
【図２６】
0003160240.tif 000028
【図２７】
0003160240.tif 000029
【図２８】
0003160240.tif 000030
【図２９】
0003160240.tif 000031
【図３０】
0003160240.tif 000032
【図３１】
0003160240.tif 000033
【図３２】
0003160240.tif 000034